(57)【要約】【課題】燃料電池スタックを直接加熱することなく、燃料電池スタックを急速起動することが可能であり、且つ燃焼器の設置数を低減することにより、構造が複雑化することのない燃料電池モジュールを提供する。【解決手段】缶体１の内部に、複数の発電セル９とセパレータ１２を交互に積層して構成するとともに、発電セル９に燃料ガスおよび酸化剤ガスを供給することにより発電反応が生じる燃料電池スタック２と、水気化器３と改質器４とを配置してなる燃料電池モジュールにおいて、缶体１内の燃料電池スタック２の下方であって、改質器４および水気化器３の下方に、バーナ５を配置した。【選択図】図１
2010238433.tif 000002
【特許請求の範囲】
【請求項１】
缶体の内部に、複数の発電セルとセパレータを交互に積層して構成するとともに、上記発電セルに燃料ガスおよび酸化剤ガスを供給することにより発電反応が生じる燃料電池スタックと、水を導入して水蒸気を生成する水気化器と、炭化水素ガスと上記水蒸気を導入して上記燃料ガスを生成する改質器とを配置してなる燃料電池モジュールにおいて、
上記缶体内の燃料電池スタックの下方であって、上記改質器および水気化器の下方に、燃焼器を配置したことを特徴とする燃料電池モジュール。
【請求項２】
上記燃料電池スタックは、上記発電反応に用いられなかった燃料ガスおよび酸化剤ガスの剰余ガスを、上記発電セルの外周部より燃料電池スタック外へ排出するシールレス構造であり、且つ上記缶体の底部には、該剰余ガスを上記缶体の底部側に流動させる排出口が形成されていることを特徴とする請求項１に記載の燃料電池モジュール。
【発明の詳細な説明】
【技術分野】
【０００１】
本発明は、缶体内に、発電セルとセパレータからなる単セルを複数積層した燃料電池スタックを配置してなる燃料電池モジュールに関するものであり、特に、急速起動することが可能な燃料電池モジュールに関するものである。
【背景技術】
【０００２】
この燃料電池モジュールは、箱形の缶体の内部に燃料電池スタック、改質器、水気化器等を配したものである。
【０００３】
この燃料電池スタックは、固体電解質層の両面に燃料極層（アノード）と空気極層（カソード）を配置してなる発電セルの外側に、各々燃料極集電体と空気極集電体とを配置し、これらの集電体の外側にセパレータを配置して単セルを構成し、該単セルを複数積層したものであり、上記発電セルの上記燃料極層に燃料ガスである水素、上記空気極層に酸化剤ガスである空気を供給する事により発電反応が生じるものである。
【０００４】
ここで、上記発電セルの両側に配された上記セパレータは、発電セルにガスを供給する機能を有するものであり、水素を燃料ガス通路を介して燃料極層へと吐出させる燃料ガス吐出孔と、空気を酸化剤ガス通路を介して空気極層に吐出させる酸化剤ガス吐出孔がそれぞれ設けられている。
【０００５】
また、上記燃料極集電体および空気極集電体は、各々ガス吐出孔から吐出された水素および空気を透過し、燃料極層および空気極層の界面全体に拡散する機能、および集電機能を備えたスポンジ状の多孔質焼結金属板で構成されている。
【０００６】
そして、上記空気極層は、上記固体電解質層の上記空気極層側の界面近傍へと到達した空気に電子を供給して、空気中の酸素を酸化物イオン（Ｏ2-）にイオン化する機能を有し、電子伝導性の高い材料により構成されている。
【０００７】
また、上記固体電解質層は、酸化物イオンを上記燃料極層へと拡散移動させる移動媒体であり、酸化物イオン伝導性の高い材料により構成されている。
【０００８】
そして、上記燃料極層は、上記固体電解質層を介して到達した酸化物イオンと、上記固体電解質層の上記燃料極層側の界面近傍へと到達した水素が結合した際に放出される電子を受容する機能を有し、電子伝導性の高い材料により構成されている。
【０００９】
一方、上記水気化器は、上記改質器の改質反応に必要な水蒸気を得るための熱交換機である。
【００１０】
また、上記改質器は、上記燃料電池スタックの発電反応に必要な水素を得るためのものであり、内部に缶体の外部から導入された炭化水素ガスと上記水気化器で生成された上記水蒸気を導入することにより改質反応を行なう炭化水素用改質触媒を充填したものである。
【００１１】
以上の構成からなる燃料電池モジュールは、稼働時において、６５０℃〜８００℃の高温で作動している上記燃料電池スタックからの排熱、および上記燃料電池スタックから排出される排ガス（Ｈ2Ｏ、ＣＯ2）により、上記缶体内部の温度雰囲気が高温に保たれている。
【００１２】
そして、上記水気化器に上記缶体の外部から水を導入することにより、上記燃料電池スタックの排熱および上記缶体内の高温雰囲気を加熱源として水蒸気を生成し、該水蒸気が上記改質器へと導入される。
【００１３】
一方、上記改質器に上記缶体の外部から炭化水素ガスを導入し、上記水気化器から水蒸気を導入して、上記燃料電池スタックの排熱および上記缶体内の高温雰囲気を加熱源として、改質触媒により改質反応が生じ、燃料ガスである水素が生成される。そして、該水素が、上記燃料電池スタックの燃料ガス通路と燃料ガス吐出孔とを順に介して、燃料極層へと導入される。
【００１４】
他方、上記缶体の外部から、酸化剤ガスである空気が上記燃料電池スタックの酸化剤ガス通路と酸化剤ガス吐出孔とを順に介して空気極層へと導入される。
【００１５】
これにより、上記発電セルにて発電反応が生じて、得られた電子を電力として取り出すことができる。
【００１６】
ところで、従来の燃料電池では、常温の停止状態から起動する際に、先ず上記燃料電池スタック（特に発電セル）の作動温度を６５０℃〜８００℃に予熱する必要ある。これは、上記発電セルでの電気化学反応（発電反応）を活性化させる必要があることに起因している。
【００１７】
さらに、上記改質触媒が改質反応を確実に行なうために、上記改質器の作動温度を５００℃〜７００℃に予熱する必要がある。これは、上記改質器の作動温度が５００℃以下である場合、上記改質触媒が改質反応を充分に行なうことができず、炭化水素ガスが発電セルの燃料極層へと供給される。これにより上記燃料極層に炭素が析出し、電池性能が急激に低下する恐れがあり、且つ上記発電セルに炭化水素が導入されると吸熱反応による熱応力で上記発電セルが割れる恐れがあることに起因している。
【００１８】
このため、従来の燃料電池モジュールにおいては、上記缶体内の側面にバーナ等の燃焼器を配置し、常温の停止状態から起動する際に、上記バーナの熱を加熱源として、上記燃料電池スタック、水気化器および改質器を所定温度へと昇温させていた。
【００１９】
しかしながら、従来の昇温方法は、上記バーナの熱により缶体内の全域を上記発電セルが発電反応、上記改質器が改質反応可能である所定温度まで加熱する必要があるために、起動に長時間を要するという問題点があった。
【００２０】
そこで、上記問題点を解決すべく、下記特許文献１においては、缶体内に複数の燃料電池スタックを配置した燃料電池モジュールにおいて、上記燃料電池スタック同士の間にバーナを設置し、起動時に、上記バーナを稼働し上記燃料電池スタックを直接加熱して、発電セルの作動温度を上記発電反応が可能な６５０℃〜８００℃に昇温するものが提案されている。
【００２１】
また、下記特許文献２においては、各々燃料電池スタックの鉛直方向に沿って配した複数の改質器および水気化器のそれぞれに、バーナを上記改質器および水気化器に沿って設置し、燃料電池モジュールの起動時に、上記バーナを稼働し上記改質器および水気化器を加熱して、上記改質器を改質反応可能な作動温度である５００℃〜７００℃に昇温する。これにより上記改質器において水素が生成され、この水素を上記燃料電池スタックの発電セルに供給して、上記燃料電池スタックの発電セルより放出された水素の剰余ガスを燃焼させることにより、発電セルを発電反応が可能な作動温度である６５０℃〜８００℃に昇温するものが提案されている。
【先行技術文献】
【特許文献】
【００２２】
【特許文献１】特開２００３−２８２１２９号公報
【特許文献２】特開２００６−２６９４１９号公報
【発明の概要】
【発明が解決しようとする課題】
【００２３】
しかしながら、特許文献１の発明にあっては、上記燃料電池スタックは、比較的に短時間で所定の作動温度まで昇温することができるものの、改質器および水気化器は、従来のように、缶体内の温度を所定温度まで加熱し、所定温度へと昇温するために、起動に長時間を要するという問題点があった。
【００２４】
さらに、上記燃料電池スタックの外周部は、直接加熱により短時間で昇温され、上記燃料電池スタックの内部は、外周部からの熱伝導により昇温されるために、外周部と内部とに温度分布が生じ、特に熱応力に対して脆弱な発電セルが破損してしまう可能性があるという問題点があった。
【００２５】
また、上記バーナを長時間使用する必要があるために、バーナ用ガスが多量に必要となり、燃料コストが掛かるという問題点があった。
【００２６】
一方、特許文献２の発明にあっては、上記バーナにより改質器および水気化器を直接加熱することにより、起動時の早期段階で、改質器および水気化器が所定温度へと到達し、作動することが可能であるが、燃料電池スタックを、発電セルより放出された水素を燃料電池スタック近傍で燃焼させることにより、間接的に昇温しているために、同様に起動に長時間要するという問題点があった。
【００２７】
さらに、複数の上記改質器および水気化器のそれぞれに上記バーナを設置するために、燃料電池モジュールの構造が複雑化するという問題点があった。
【００２８】
また、上記バーナを複数配置するに伴い、バーナ用ガスが多量に必要となり、燃料コストが掛かるという問題点があった。
【００２９】
本発明は、従来技術の問題点を解決すべくなされたもので、燃料電池スタック、改質器、水気化器およびバーナをそれぞれ最適位置に配置することにより、急速起動することが可能であり、且つ燃焼器の設置数を低減することにより、構造が複雑化することのない燃料電池モジュールを提供するものである。
【課題を解決するための手段】
【００３０】
上記課題を解決するために、請求項１に記載の本発明は、缶体の内部に、複数の発電セルとセパレータを交互に積層して構成するとともに、上記発電セルに燃料ガスおよび酸化剤ガスを供給することにより発電反応が生じる燃料電池スタックと、水を導入して水蒸気を生成する水気化器と、炭化水素ガスと上記水蒸気を導入して上記燃料ガスを生成する改質器とを配置してなる燃料電池モジュールにおいて、上記缶体内の燃料電池スタックの底部であって、上記改質器および水気化器の下方に、燃焼器を配置したことを特徴とするものである。
【００３１】
また、請求項２に記載の本発明は、上記燃料電池スタックにおいて、上記発電反応に用いられなかった燃料ガスおよび酸化剤ガスの剰余ガスを、上記発電セルの外周部より燃料電池スタック外へ排出するシールレス構造であり、且つ上記缶体の底部には、該剰余ガスを上記缶体の底部側に流動させる排出口が形成されていることを特徴とするものである。
【発明の効果】
【００３２】
請求項１に記載の本発明によれば、缶体内の燃料電池スタックの下方であって、改質器および水気化器の下方に、燃焼器を配置しているために、起動時に、上記改質器が燃焼器により直接加熱されて、起動後の早期段階で、上記改質器が改質反応可能な作動温度に到達することが可能となる。これにより、起動後の早期段階で、改質反応が生じて、燃料ガスを生成することが可能となり、該燃焼ガスを燃料電池スタックへと供給することができる。
【００３３】
また、上記燃料電池スタックも上記燃焼器により直接加熱されているために、起動後の早期段階で、上記発電セルが発電反応可能な作動温度に到達し、燃料電池スタックが発電反応を開始することが可能となる。これにより、上記燃料電池スタック自体が、発電反応により発熱して昇温され、結果、燃料電池モジュールを急速起動させることが可能となる。
【００３４】
また、上記燃料電池スタックが発電反応を開始すると、燃料電池スタックから高温の熱が排熱されるために、上記改質器および水気化器は、該熱を吸熱して、所定温度を維持し続けることが可能となる。これにより、起動後の早期段階で燃焼器を停止することができるために、燃焼器を燃焼するための燃料の消費量を低減することができ、燃料コストを低減することが可能である。
【００３５】
さらに、特許文献２のように、上記改質器および水気化器のそれぞれに燃焼器を配置する必要がなくなり、上記燃焼器の設置数を低減することが可能となる。この結果、上記燃料電池モジュールの構造が複雑化することがなくなり、且つ燃焼器の設置数を低減したことにより、上記燃焼器を燃焼するための燃料の消費量を低減することができ、燃料コストを低減することも可能となる。
【００３６】
また、起動後の早期段階で、上記改質器を上記燃焼器によって加熱し、燃料ガスを上記燃料電池スタックに供給するために、上記発電セルの燃料極層側を還元状態に保つことができ、上記発電セルの酸化還元に伴う劣化を防止することが可能である。
【００３７】
一方、請求項２に記載の本発明によれば、燃料電池スタックが、上記発電反応に用いられなかった燃料ガスおよび酸化剤ガスの剰余ガスを、上記発電セルの外周部より燃料電池スタック外へ排出するシールレス構造であるために、起動時の早期段階において、上記改質器より供給された燃料ガスが発電セルの外周部へと放出され、上記燃料電池スタック近傍で速やかに燃焼する。これにより、上記燃料電池スタック全体の作動温度を上昇させることが可能となり、結果、燃料電池モジュールを、より短時間で急速起動することが可能となる。
【００３８】
ところで、起動後の早期段階において、発電セルの外周部から放出された燃料ガスは、上記燃料電池スタック近傍で燃焼するが、他方の酸化剤ガスは、燃料ガスの燃焼により生じた水蒸気と共に上記缶体内に排ガスとして放出され、燃料ガスの燃焼熱により加熱される。
【００３９】
ここで、従来の燃料電池モジュールにおいては、上記缶体の天板部に上記排ガスを排出する排出口を設けているために、加熱された排ガスが、自然対流により上昇して、そのまま排出口へと排出されていた。このため、缶体の底部側に加熱された上記排ガスが到達し難く、上記缶体の底部側の温度雰囲気が天板部側に比べて低くなる傾向にあり、それに伴い、燃料電池スタックの最下部側の温度も最上部側に比べて低くなり、燃料電池スタックの最下部側を昇温するのに、時間を要するという問題点があった。
【００４０】
これに対し、本発明によれば、上記缶体の底部に、該剰余ガスを上記缶体の底部側に流動させる排出口を形成しているために、加熱された上記排ガスが、上記缶体の天板部側に流動し、その後、缶体の底部側に流動する。この結果、缶体全体の温度を均一に昇温することができ、それに伴い、燃料電池スタック全体の温度も均一に、より短時間で昇温することが可能となる。
【図面の簡単な説明】
【００４１】
【図１】本発明に係る燃料電池モジュールの内部概略構成を示す縦断面図である。
【図２】図１に係るＡの拡大断面図である。
【図３】図１の燃料電池スタックにおける稼働時のガスの流れを示す断面図である。
【図４】図１の他の実施形態を示す斜視図である。
【図５】図１の他の実施形態を示す斜視図である。
【図６】図１の他の実施形態を示す斜視図である。
【図７】図１の他の実施形態を示す斜視図である。
【図８】図１の他の実施形態を示す斜視図である。
【発明を実施するための形態】
【００４２】
以下、図１〜図２に基づいて本発明の実施形態を説明する。
まず、図１に示すように、本発明の燃料電池モジュールは、箱形の内缶体と、この内缶体を、断熱材を介して覆う外缶体とで構成された缶体１の内部に、燃料電池スタック２を配し、該燃料電池スタック２の底部に改質器４と水気化器３とを順に配し、水気化器３の底部にバーナ(燃焼器)５を配したものである。
【００４３】
この燃料電池スタック２は、図２に示すように、固体電解質層６の両面に燃料極層（アノード）７と空気極層（カソード）８を配置してなる発電セル９の外側に、各々燃料極集電体１０と空気極集電体１１を配置し、これらの集電体１０、１１の外側にセパレータ１２を配置した単セル１３を縦方向に複数積層したものである。
【００４４】
そして、燃料電池スタック２の発電セル９は、外周部にガス漏れ防止シールを設けないシールレス構造に形成されている。
【００４５】
ここで、固体電解質層６は、酸化物イオンの移動媒体であると同時に、燃料ガスと空気を直接接触させないための隔壁としても機能するので、ガス不透過性の緻密な構造となっている。この固体電解質層６は、酸化物イオン伝導性が高く、空気極層８側の酸化性雰囲気から燃料極層７側の還元性雰囲気までの条件下において化学的に安定で、熱衝撃に強い材料から構成する必要があり、かかる要件を満たす材料として、イットリアを添加した安定化ジルコニア（ＹＳＺ）で構成されている。
【００４６】
また、電極である燃料極層７と空気極層８は、いずれも電子伝導性の高い材料から構成する必要がある。このため、この燃料極層７の材料は、Ｎｉ、Ｃｏなどの金属、或いはＮｉ−ＹＳＺ、Ｃｏ−ＹＳＺなどのサーメット等で構成され、また、空気極層８の材料は、７００℃前後の高温の酸化性雰囲気中で化学的に安定でなければならないため、金属は不適当であり、電子伝導性を持つＬａＭｎＯ3もしくはＬａＣｏＯ3、または、これらのＬａの一部をＳｒ、Ｃａ等に置換した固溶体（ＬＳＭ、ＬＳＣ，ＳＳＣ等）で構成されている。
【００４７】
さらに、燃料極集電体１０は、ニッケル基合金等のスポンジ状の多孔質焼結金属板で構成され、空気極集電体１１は、銀基合金等の同じくスポンジ状の多孔質焼結金属板で構成されている。スポンジ状多孔質焼結金属板は、集電機能、ガス透過機能、均一ガス拡散機能、クッション機能、熱膨脹差吸収機能等を兼ね備えるので、多機能の集電体材料として適している。
【００４８】
一方、セパレータ１２は、ステンレス等の金属材料により構成されている。なお、７００℃以上の低温、中温作動において、殆ど電気抵抗が増加せず、良好な伝導性を維持する銀めっきを成膜したセパレータ１２を使用することが好ましい。
【００４９】
また、セパレータ１２は、発電セル９間が電気接続されると共に、この発電セル９に対してガスを供給する機能を有するもので、燃料ガスである水素をセパレータ１２の外周部から導入して燃料ガス通路１４を介してセパレータ１２の燃料極層７に対向する面から吐出させる燃料ガス吐出孔１５と、酸化剤ガスである空気をセパレータ１２の外周部から導入して酸化剤ガス通路１６を介してセパレータ１２の空気極層８に対向する面から吐出させる酸化剤ガス吐出孔１７とをそれぞれ有している。
【００５０】
さらに、セパレータ１２の一対角線上の角部には、一方に燃料電池スタック２の内部を縦方向に延びるとともに燃料ガス通路１４に連結している燃料ガスマニホールド１８が、他方に燃料電池スタック２の内部を縦方向に延びるとともに酸化剤ガス通路１６に連結している酸化剤ガスマニホールド１９が形成されている。
【００５１】
また、燃料ガスマニホールド１８には、改質器４から水素が供給される燃料ガス供給管２１が配設されており、酸化剤ガスマニホールド１９には、缶体１の外部から空気が供給される酸化剤ガス供給管１６が配設されている。
【００５２】
そして、発電セル９とセパレータ１２からなる単セル１３を複数積層し、積層方向の最上部側にフランジ、最下部側にフランジを配して、ボルトで締め付けることにより燃料電池スタック２が構成されている。
【００５３】
一方、改質器４内には、炭化水素用のＮｉ（ニッケル）系、或いはＲｕ（ルテニウム）系の改質触媒が充填されている。また、改質器４には、缶体１の外部から炭化水素ガスが供される炭化水素ガス供給管２０が配設されている。
【００５４】
他方、水気化器３は、改質器４の改質反応に必要な高温水蒸気を得るための熱交換機であり、缶体１外部から水が供給される水供給管２２および水蒸気を改質器４に供給する水蒸気供給管２３が配設されている。
【００５５】
そして、バーナ５には、缶体１外部からバーナ用ガスが供給されるガス供給管２４が配設されている。
【００５６】
さらに、缶体１の底板部には、缶体１内の排ガスを排出するための排気口２５が設けられている。
【００５７】
以上の構成からなる燃料電池モジュールにおいては、起動時に、ガス供給管２４よりバーナ５にバーナ用ガスを供給してバーナ５を作動し、炭化水素ガス供給管２０に炭化水素ガス（例えば、都市ガス）を、水供給管２２に水を、酸化剤ガス供給管１６に空気をそれぞれ供給する。
【００５８】
すると、水気化器３は、バーナ５からの熱により直接加熱され、水供給管２２から供給された水を水蒸気へと気化させることが可能な作動温度に昇温することが可能となり、起動後の早期段階で、改質器４の改質反応に必要な水蒸気を得ることが可能となる。
【００５９】
次いで、水気化器３により得られた水蒸気が、炭化水素ガス供給管２０と水蒸気供給管２３とが連結している部分において、炭化水素ガスと合流・混合され、この混合ガスが改質器４へと供給される。
【００６０】
ここで、改質器４も、バーナ５からの熱が水気化器３の外周部を介して改質器４近傍まで到達し、直接加熱されて、僅か数分で改質可能な作動温度である５００℃〜７００℃に昇温することが可能となり、起動後の早期段階で、上記混合ガスが改質触媒の作用により改質し、発電セル９の発電反応に必要な水素を得ることが可能となる。
【００６１】
そして、この水素が、燃料ガス供給管２１から燃料ガスマニホールド１８へと供給され、各単セル１３のセパレータ１２の燃料ガス通路１４へと供給される。
【００６２】
また、起動時に酸化剤ガス供給管２６から酸化剤ガスマニホールド１９へと供給された空気は、各単セル１３のセパレータ１２の酸化剤ガス通路１６へと供給される。
【００６３】
この各々ガス通路１４、１６へとそれぞれ供給された水素および空気は、図３に示すように、セパレータ１２の略中心部にある燃料ガス吐出孔１５および酸化剤ガス吐出孔１７から発電セル９に向けて吐出され、各集電体１０、１１を介すことにより、発電セル９の外周方向に拡散されながら燃料極層７および空気極層８の全面に良好な分布で行き渡る。
【００６４】
この際、起動後の早期段階で、改質器４が水素を生成し、該水素を発電セル９の燃料極層７へと供給するために、燃料極層７側を還元状態に保つことが可能となる。この結果、発電セル９の酸化還元に伴う劣化を防止することが可能となり、且つ従来、酸化還元を抑制するために使用していた窒素を使用する必要が無くなるために、窒素供給手段を省略することができ、窒素の消費コストを削減できる。
【００６５】
次いで、起動後の早期段階においては、燃料電池スタック２の発電セル９が発電反応を行なうことが可能な作動温度に到達しておらず、且つ、発電セル９が外周部にガス漏れ防止シールを設けないシールレス構造であることから、発電セル９へと供給された水素および空気の剰余ガスが燃料電池スタック２外へと放出される。
【００６６】
特に、この燃料電池スタック２外へと放出された水素は、バーナ５からの熱が改質器４および水気化器３の外周部を介して燃料電池スタック２近傍まで到達していることから、速やかに着火・燃焼される。これにより、燃料電池スタック２を加熱・昇温することが可能である。
【００６７】
また、燃料電池スタック２は、水素の燃焼により昇温されるとともに、起動後の早期段階において、バーナ５からの熱により直接加熱されており、急速に所定の作動温度に昇温される。これにより、発電セル９が発電反応を開始し、燃料電池スタック２自体が発熱して昇温される。この結果、燃料電池モジュールを急速起動させることが可能となる。
【００６８】
さらに、燃料電池スタック２が発電反応を行なうと、燃料電池スタック２から高温の熱が排熱されるために、改質器４および水気化器３は、該熱を吸熱して、所定温度を維持し続けることが可能となる。これにより、起動後の早期段階でバーナ５を停止することができるために、バーナ５を燃焼するためのバーナ用ガスの消費量を低減することができ、燃料コストを低減することが可能である。
【００６９】
そして、燃料電池スタック２外へと放出された空気は、水素の燃焼により生じた水蒸気と共に排ガスとして缶体１内に放出され、水素の燃焼熱により加熱される。
【００７０】
この際、この加熱された排ガスは、排出口２４が缶体１の底部に設けられていることから、缶体１の天板部側に流動し、その後、缶体１の底部側に流動する。この結果、缶体１全体の温度を均一に昇温することが可能となり、それに伴い、燃料電池スタック２全体を均一に、より短時間で昇温することが可能となる。
【００７１】
その後、これらの動作により急速起動した燃料電池モジュールは、燃料電池スタック２の発電セル９の発電反応により、所定の電力が得られる。
【００７２】
なお、本実施形態の燃料電池モジュールは、缶体１内において、一組の燃料電池スタック２の底部に改質器４と水気化器３とを順に配置し、水気化器３の底部にバーナ５を配置したが、図４に示すように、一組の燃料電池スタック２の底部に水気化器３と改質器４を並列に配置して、水気化器３と改質器４との配置の中心に位置する底部にバーナ５を配置しても対応可能である。
【００７３】
さらに、図５に示すように、一組の燃料電池スタック２の底部に、ドーナツ状の水気化器３と改質器４とを順に配置し、水気化器４の底部にバーナ５を配置しても対応可能である。この際、水気化器３と改質器４をドーナツ状にすることにより、バーナ５からの熱伝導を受熱する面積が増え、改質器４および水気化器３をより短時間で所定の作動温度に昇温することが可能となるとともに、燃料電池スタック２の底部がバーナ５の熱伝導を受熱することが可能となるために、燃料電池スタック２が昇温し易くなる。
【００７４】
また、本実施形態の燃料電池モジュールは、缶体１内において、１組の燃料電池スタック２を配置したが、図６に示すように、複数の燃料電池スタック２(図では４組)を配置しても、複数の燃料電池スタック２の配置の中心に位置する底部に水気化器３と改質器４とを配置し、水気化器３の底部にバーナ５を配置することによって対応可能である。
【００７５】
そして、複数の燃料電池スタック２も、図８に示すように、複数の燃料電池スタック２の配置の中心に位置する底部に、ドーナツ状の水気化器３と改質器４とを順に配置し、水気化器４の底部にバーナ５を配置しても対応可能である。この際も、１組の燃料電池スタック２の底部にドーナツ状の水気化器３と改質器４とを順に配置したものと同様に、水気化器３と改質器４をドーナツ状にすることにより、バーナ５からの熱伝導を受熱する面積が増えて、改質器３および水気化器４をより短時間で所定の作動温度に昇温することが可能となるとともに、燃料電池スタック２の底部が、バーナ５の熱伝導を受熱することが可能となるために、燃料電池スタック２が昇温し易くなる。
【００７６】
加えて、複数の燃料電池スタック２を配置した際に、図７に示すように、燃料電池スタック２同士の間に改質器４および水気化器３を配置したものもあり、この場合は、複数の燃料電池スタック２の配置の中心に位置する底部であり、水気化器３および改質器４の底部にバーナ５を配置することにより対応可能である。この場合、燃料電池スタック２の底部が、バーナ５の熱伝導を受熱することが可能となるために、燃料電池スタック２が昇温し易くなる。
【００７７】
さらに、本実施形態では、燃焼器としてバーナ５を用いたが、電気ヒーター等の他の燃焼手段を用いても対応可能である。
【００７８】
また、本実施形態の缶体内における燃料電池スタック２は、単セル１３を縦方向に積層したが、横方向に積層したものでも対応可能である。
【００７９】
そして、本実施形態の改質器４は、炭化水素用のＮｉ系またはＲｕ系の改質触媒を充填したが、ハニカム触媒を用いても対応可能である。
【符号の説明】
【００８０】
１  缶体
２  燃料電池スタック
３  水気化器
４  改質器
５  バーナ（燃焼器）
９  発電セル
１２  セパレータ
２５  排出口
【図１】
2010238433.tif 000003
【図２】
2010238433.tif 000004
【図３】
2010238433.tif 000005
【図４】
2010238433.tif 000006
【図５】
2010238433.tif 000007
【図６】
2010238433.tif 000008
【図７】
2010238433.tif 000009
【図８】
2010238433.tif 000010